(57)【要約】【課題】排水口部材から排水が溢れることを抑制可能な貯留槽を得る。【解決手段】貯留槽３２は、エルボ２４に接続されエルボ２４側とは反対側の端部が、エルボ２４との接続部よりも上方に位置した接続管４０と、接続管４０の端部に接続され、接続管４０の軸方向に対して直角な断面で見たときの管路断面積に対して、内部空間の水平方向の断面積が大きく設定された貯留部３８と、貯留部３８に設けられ貯留部３８内の空気を貯留部３８外へ逃がす袋体４４と、を有する。【選択図】図１
2019199684.tif 000002
【特許請求の範囲】
【請求項１】
排水管に接続され、前記排水管側とは反対側の端部が前記排水管との接続部よりも上方に位置した接続管と、
前記接続管に接続され、前記接続管の軸方向に対して直角な断面で見たときの管路断面積に対して、内部空間の水平方向の断面積が大きく設定された貯留部と、
前記貯留部に設けられ、前記貯留部内の空気を前記貯留部外へ逃がす圧力開放手段と、
を有する貯留槽。
【請求項２】
前記圧力開放手段は、前記貯留部内の空気の圧力を受けて拡縮する袋体を有している、請求項１に記載の貯留槽。
【請求項３】
水廻り器具と、
前記排水管において前記水廻り器具の排水方向下流側に設けられ封水が貯留されるトラップと、
前記接続管が前記トラップよりも排水方向上流側の前記排水管に接続された請求項１または請求項２に記載の貯留槽と、
を有する排水システム。
【請求項４】
水廻り器具と、
前記排水管において前記水廻り器具の排水方向下流側に設けられ封水が貯留されるトラップと、
前記接続管の前記端部が前記トラップの封水貯留部に接続された請求項１または請求項２に記載の貯留槽と、
を有する排水システム。
【発明の詳細な説明】
【技術分野】
【０００１】
本発明は、排水管に設けられて排水を一時的に貯留可能な貯留槽、及び貯留槽を備えた排水システムに関する。
【背景技術】
【０００２】
水廻り器具、例えば、台所流しには、排水口部材が設けられている (例えば、特許文献１参照）。また、排水口部材から排出される排水を、サイホン排水管で排出するサイホン排水システムでは、傾斜した配管の代わりに無勾配の横引き管が用いられており、横引き管の下流側に設けられた竪管内が満水になってサイホン力が発生することで、迅速に排水を排出することが可能となる。しかしながら、排水口に排水を流してからサイホン力が発生するまでのタイムラグがある。このため、タイムラグを短縮する技術も種々提案されている。
【先行技術文献】
【特許文献】
【０００３】
【特許文献１】特開２００６−３３６３２１号公報
【発明の概要】
【発明が解決しようとする課題】
【０００４】
しかしながら、排水口部材に排水を流してからサイホン力が発生するまでの時間、所謂サイホン起動時間が短縮されても、台所流しに大量に排水を一度に流すと、サイホン力が発生するまでの間、排水口部材から排水が溢れ、場合によっては台所流しに排水が溜まり、見栄えがよくない、ということが起こり得た。
【０００５】
本発明は上記事実を考慮し、排水口部材から排水が溢れることを抑制可能な貯留槽、及び排水システムの提供を目的とする。
【課題を解決するための手段】
【０００６】
請求項１に記載の貯留槽は、排水管に接続され、前記排水管側とは反対側の端部が前記排水管との接続部よりも上方に位置した接続管と、前記接続管に接続され、前記接続管の軸方向に対して直角な断面で見たときの管路断面積に対して、内部空間の水平方向の断面積が大きく設定された貯留部と、前記貯留部に設けられ、前記貯留部内の空気を前記貯留部外へ逃がす圧力開放手段と、を有する。
【０００７】
例えば、台所流し等の水廻り器具の排水口部材から排水管に排水が流されると、排水は、排水管の下流側へ流れるが、一度の多量の排水が水廻り器具に流された場合、排水管の排水能力が追いつかず、排水口部材から排水が溢れる場合がある。
【０００８】
請求項１に記載の貯留槽の接続管を排水口部材の下流側の排水管に接続すると、一度の多量の排水が流された場合、流された排水は、排水管の下流側に流れると共に、一部が接続管を介して貯留部に流れるため、貯留槽が無い場合に比較して、排水口部材に流入した排水を迅速に下流側に流出させることができ、排水口部材から排水が溢れることを抑制できる。
【０００９】
また、貯留部は、接続管の管路断面積に対して、内部空間の水平方向の断面積が大きく設定されているので、接続管の容積に比較して、貯留部の容積を大きくとることが可能となり、多量の排水が流入可能となる。
【００１０】
なお、貯留部に排水が流入すると、貯留部内の空気は圧力開放手段によって貯留部外へ逃がされるので、排水は貯留部に流入し易くなる。
【００１１】
接続管は、排水管側とは反対側の端部が、排水管との接続部よりも上方に位置しているので、貯留部内に流入した排水は、その後、接続管を介して排水管に向けて自然落下し、貯留部内が空になる。これにより、次に排水口部材から排水が排出されたときにも、貯留部内に排水を流入させることができ、排水口部材から排水が溢れることを抑制できる。
【００１２】
請求項２に記載の発明は、請求項１に記載の貯留槽において、前記圧力開放手段は、前記貯留部内の空気の圧力を受けて拡縮する袋体を有している。
【００１３】
請求項２に記載の貯留槽では、貯留部内に排水が流入すると、袋体が膨張して貯留部内の圧力上昇を抑制するので、貯留部内に排水が流入し易くなる。なお、貯留部内の排水が排出されると、膨張した袋体は縮小される。
【００１４】
請求項３に記載の排水システムは、水廻り器具と、前記排水管において前記水廻り器具の排水方向下流側に設けられ封水が貯留されるトラップと、前記接続管が前記トラップよりも排水方向上流側の前記排水管に接続された請求項１または請求項２に記載の貯留槽と、を有する。
【００１５】
請求項３に記載の排水システムでは、水廻り器具から排水が排出されると、排出された排水は、トラップを介してトラップの排水方向下流側へ排出される。
【００１６】
一度の多量の排水が流された場合、流された排水は、排水管の下流側に流れるとともに、一部がトラップの上流側の排水管に接続された接続管を介して貯留部に流れるため、貯留槽が無い場合に比較して、排水口部材に流された排水を迅速に流出させることができ、排水口部材から排水が溢れることを抑制できる。
【００１７】
請求項４に記載の発明は、水廻り器具と、前記排水管において前記水廻り器具の排水方向下流側に設けられ封水が貯留されるトラップと、前記接続管の前記端部が前記トラップの封水貯留部に接続された請求項１または請求項２に記載の貯留槽と、を有する。
【００１８】
請求項４に記載の排水システムでは、水廻り器具から排水が排出されると、排出された排水は、トラップを介してトラップの排水方向下流側へ排出される。
【００１９】
一度の多量の排水が流された場合、流された排水は、排水管の下流側に流れるとともに、一部がトラップの封水貯留部に接続された接続管を介して貯留槽の貯留部に流れるため、貯留槽が無い場合に比較して、排水口部材に流された排水を迅速に流出させることができ、排水口部材から排水が溢れることを抑制できる。
【発明の効果】
【００２０】
以上説明したように、本発明の貯留槽によれば、排水口部材から排水が溢れることを抑制することができる、という優れた効果を有する。
また、本発明の排水システムによれば、排水口部材から排水が溢れることを抑制することができる、という優れた効果を有する。
【図面の簡単な説明】
【００２１】
【図１】本発明の第１の実施形態に係る排水システムを示す概略構成図である。
【図２】（Ａ）は貯留槽を示す断面図であり、（Ｂ）はカバー及び袋体の水平方向断面図である。
【図３】第１の実施形態に係る貯留槽に用いられる袋体を示す斜視図である。
【図４】一部を断面にしたエルボの側面図である。
【図５】（Ａ）はエルボ、及び貯留部材を示す斜視図であり、（Ｂ）は接続管の断面図（図５（Ａ）の５Ｂ−５Ｂ線断面図）である。
【図６】Ｓ字トラップ、及びエルボを示す側面図である。
【図７】本発明の第２の実施形態に係る排水システムを示す概略構成図である。
【図８】本発明の第３の実施形態に係る貯留槽を示す断面図である。
【図９】本発明の第４の実施形態に係る貯留槽を示す断面図である。
【発明を実施するための形態】
【００２２】
［第１の実施形態］
図１乃至図６にしたがって、本発明の第１の実施形態に係る排水システム１０を説明する。
（排水システム）
図１に示すように、本実施形態に係る排水システム１０では、建物の床スラブ１２の貫通穴１４を貫通した排水立て管１６に、水廻り器具からの配管を連結する排水継手１８が設けられており、上部の排水立て管１６からの排水と水廻り器具からの排水とを合流させるように構成されている。なお、図１では、各配管の接続部分の構成が適宜省略されて示されている。
【００２３】
各階には、水廻り器具の一例としての台所流し２０が設けられている。台所流し２０には、排水が流れる排水口部材２２が設けられている。排水口部材２２は、円筒部２２Ａと、円筒部２２Ａの下部を塞ぐ底部２２Ｂと、円筒部２２Ａの底部側の側部に形成される管状の排出部２２Ｃとを備えている。なお、円筒部２２Ａの上側の開口部分は、台所流し２０の排水が流入する流入口である。
【００２４】
排水口部材２２の排出部２２Ｃには、排水管の一例としてのＬ字形状のエルボ２４を介してトラップの一例としての水封式のＳ字トラップ２６（図６参照）が接続されている。なお、エルボ２４は、排水方向上流側の端部が、袋ナット３４を用いて排水口部材２２の排出部２２Ｃと接続されており、排水方向下流側の端部が、袋ナット３６を用いてＳ字トラップ２６と接続されている。なお、エルボ２４、及びＳ字トラップ２６は、排水管の一部である。
【００２５】
Ｓ字トラップ２６の排水方向下流側の端部には、Ｓ字トラップ２６から床スラブ１２に向けて延び、床スラブ１２上で横方向に曲がって床スラブ１２に沿って延びるＬ字排水管２８が接続されている。
【００２６】
Ｌ字排水管２８の排水方向下流側の端部には、横方向に延びる横引き３０Ａ、及び縦方向に延びる竪管３０Ｂを備えたサイホン排水管３０が接続されている。横引き管３０Ａは、Ｌ字排水管２８からの排水を横方向へ流す配管である。竪管３０Ｂは、横引き管３０Ａからの排水を下方へ流す配管であり、排水継手１８を介して排水立て管１６に接続されている。
【００２７】
このサイホン排水管３０では、横引き管３０Ａから竪管３０Ｂへ流入した排水を下方へ流下させることによりサイホン力を発生させる。横引き管３０Ａ、及び横引き管３０Ａの上流側の排水には、竪管３０Ｂで発生したサイホン力により引っ張られることで、排出方向へ向かうサイホン力が作用する。
【００２８】
（貯留槽）
図２に示すように、エルボ２４には、貯留槽３２が接続されている。貯留槽３２は、貯留部３８と接続管４０とを一体化した貯留部材４２と、貯留部３８に接続される圧力開放手段の一例としての袋体４４と、袋体４４を覆うカバー４６とを備えている。
【００２９】
袋体４４は、内部が貯留部３８、及び接続管４０を介してエルボ２４の内部と連通しており、エルボ２４側からの圧力を下部内側から受けるように構成されている。この袋体４４は、図２、及び図３に示すように、一端部が閉鎖された筒状のゴム部材により形成されている。
【００３０】
なお、本実施形態では、袋体４４がゴム製の場合を例に挙げて説明するが、袋体４４は変形可能な弾性を有する部材であればよい。その材質としては、樹脂、又はゴム以外のエラストマー等を用いることができる。
【００３１】
貯留部３８は、全体的に、接続管４０よりも大径の漏斗状に形成されている。言い換えれば、接続管４０の内部における通路断面積（長手方向に対して直角な断面でみたとき）に対して、貯留部３８の内部においては、接続管４０の通路断面積よりも大きな断面積（水平方向に切断したときの断面積）を有している。したがって、本実施形態では、貯留部３８の容積は、接続管４０の容積よりも大である。
【００３２】
貯留部３８の上部には円筒状の取付部４８が設けられており、取付部４８の端面角部には、先細りのテーパー面４８Ａが形成されている。この取付部４８には、袋体４４、及びカバー４６が取り付けられている。なお、取付部４８の外周には、取付用雄ネジ部４８Ｂが形成されている。
【００３３】
カバー４６は、円筒状のカバー本体４６Ａと、カバー本体４６Ａの上部を閉鎖する天面４６Ｂとを備えている。カバー本体４６Ａの下端部には、大径部４６Ｃが形成されており、大径部４６Ｃの内周面には、取付用雌ネジ部４６Ｄが形成されている。これにより、カバー本体４６Ａの大径部４６Ｃを貯留部３８の取付部４８に合わせて回転させることにより、大径部４６Ｃ内面の取付用雌ネジ部４６Ｄが取付部４８の取付用雄ネジ部４８Ｂに螺合し、カバー４６を貯留部３８に取り付けられるように構成されている。この取付状態において、カバー４６の大径部４６Ｃの内側面には、取付部４８のテーパー面４８Ａに対向する対向面４６Ｅが形成されている。
【００３４】
図２（Ａ）に示すように、天面４６Ｂは、円板状に形成されている。天面４６Ｂには、中央部を中心とした円弧状の通気穴４６Ｆが複数形成されている。これにより、カバー４６の内側の内圧変化を抑制できるように構成されている。
【００３５】
カバー４６内には、袋体４４が収容されている。袋体４４の基端部は、該テーパー面４８Ａとカバー４６内側の対向面４６Ｅとによって挟持され、テーパー面４８Ａに密着されるように構成されている。これにより、袋体４４の内部と貯留部３８の内部とが連通した状態で、外部との水密性が確保されている。また、袋体４４は、自立状態に維持されている。自立状態とは、常圧で袋体４４の最高高さが維持される状態をいう。
【００３６】
図２（Ｂ）に示されるように、袋体４４は、平面視において、中心部から外側へ延びる形状に形成されている。袋体４４は、横方向（カバー４６の径方向外側）に弾性的に拡縮可能であり、貯留部３８からの正圧を受けた際に、横方向に弾性変形して膨らみ、貯留部３８に生じた圧力を緩和できるように構成されている。
【００３７】
図２（Ａ）に示すように、貯留部材４２の接続管４０は、エルボ２４の縦管部分２４Ａの上下方向中間部に一体的に接続されており、貯留部３８側がエルボ２４の縦管部分２４Ａとの接続部分よりも上方に位置するように傾斜している。
【００３８】
図５（Ａ）、図５（Ｂ）に示されるように、接続管４０は、径方向断面がオーバルに形成されている。図２（Ａ）に示すように、エルボ２４の縦管部分２４Ａの軸方向Ｌ１に対する接続管４０の軸方向Ｌ２の傾斜角度θは、例えば３０〜６０°であり、より好ましくは４５°である。「オーバル」とは、長円、楕円、卵形又はこれらに似た閉曲線であり、オーバルの径方向断面には、互いに略直交する長手方向４０Ｌと短手方向４０Ｓが存在している。
【００３９】
図５（Ｂ）に示すように、接続管４０は、径方向断面の長手方向４０Ｌをエルボ２４の縦管部分２４Ａの軸方向Ｌ１に向けた状態で、エルボ２４の縦管部分２４Ａに接続されている。換言すれば、排水システム１０の上下方向に接続管４０の長手方向４０Ｌが向けられており、接続管４０が縦長に配置されている。
【００４０】
接続管４０における径方向断面の短手方向４０Ｓは、エルボ２４の縦管部分２４Ａの径方向に向いた状態とされている。接続管４０の短手方向４０Ｓの幅Ｄ２は、エルボ２４の縦管部分２４Ａの内径Ｄ１（図２（Ａ）参照）よりも小さい。このような内径の設定により、図４に示されるように、エルボ２４の縦管部分２４Ａに対する接続管４０の開口部５４は、エルボ２４の縦管部分２４Ａの軸方向Ｌ１に長く、かつ角ばった部分を有しない形状となっている。
【００４１】
（作用）
本実施形態に係る排水システム１０は、上記のように構成されており、以下その作用について説明する。
台所流し２０に、排水が流された場合、流された排水は、排水口部材２２、エルボ２４、Ｓ字トラップ２６、Ｌ字排水管２８を介してサイホン排水管３０に流入する。サイホン排水管３０においては、竪管３０Ｂへ流入した排水が下方へ流下することによりサイホン力が発生し、サイホン力によって上流側の排水を迅速に下流側へ流すことができるが、排水口部材２２へ排水を流してからサイホン力が発生するまでにある程度の時間を要する。
【００４２】
このため、サイホン排水構造を有した従来の排水システムでは、サイホン力が発生するまでの間は、サイホン力が発生しているときに比較して排水能力（単位時間当たりの排水量）が低くなるため、台所流しに、一度に多量の排水を流すと、排水能力が追いつかず、排水口部材から排水が溢れ出る場合があった。
【００４３】
本実施形態の排水システム１０では、台所流し２０に、一度に多量の排水が流された場合、流された排水は、一部が、排水口部材２２、エルボ２４、Ｓ字トラップ２６、及びＬ字排水管２８を介してサイホン排水管３０側へ流れると共に、他の一部がエルボ２４、及び接続管４０を介して貯留槽３２の貯留部３８に流入するため、排水口部材２２からの排出効率（単位時間当たりの排出量）を、貯留槽３２が無い場合に比較して増大させることができ、排水口部材２２から排水が溢れ出ることを抑制することが出来る。
【００４４】
なお、排水が貯留部３８に流入すると、貯留部３８内の空気は、排水に押されて袋体４４の内部へ流入し、袋体４４が膨張する。これにより、貯留部３８内の圧力上昇が抑えられ、排水が貯留部３８の中に流入し易くなる。
【００４５】
その後、横引き管３０Ａと竪管３０Ｂとの間の落し込み部分が満水になった状態で、竪管３０Ｂに排水が落ちていくと、竪管３０Ｂにサイホン力が発生する。そして、サイホン排水管３０の上流側の排水はサイホン力で吸引され、下流の排水立て管１６に迅速かつ効率的に排出される。また、これと共に、貯留槽３２の貯留部３８に流入していた排水も、エルボ２４側へ吸引されて排出される。
【００４６】
なお、貯留槽３２の接続管４０は、エルボ２４側が下側となるように傾斜しているので、貯留部３８、及び接続管４０の内部に流入していた排水は、自然落下によりエルボ２４側へ排水され、貯留槽３２、及び接続管４０の内部は最終的に空になる。また、貯留部３８内の排水が排出されると、膨張した袋体４４は元の形状に縮小する。
【００４７】
このように、本実施形態の排水システム１０では、従来の排水系統に、貯留槽３２を取り付けるだけで、排水口部材２２から排水が溢れ出ることを抑制できる。なお、貯留槽３２は、排水口部材２２から排出される排水を迅速に流入させるために、サイホン排水管３０の排水方向上流側において、排水口部材２２よりも下方で、かつ排水口部材２２に近い位置に設けることが好ましい。この場合において、貯留槽３２を水廻り機器周辺に収めることが可能となる。
【００４８】
なお、一般家庭の排水システム１０において、台所流し２０の排水口部材２２から排水が溢れることを抑制するためには、排水口部材２２の容積と貯留部３８の容積とを合計した容積を、２５００ｍｌ（ミリリットル）〜３０００ｍｌ程度確保することが好ましい。
【００４９】
また、本実施形態の貯留槽３２は、エルボ２４の縦管部分２４Ａに対する貯留槽３２の接続管４０の開口部５４が角ばった部分を有しない形状となっているため、エルボ２４の縦管部分２４Ａを流れる排水が、接続管４０とエルボ２４の縦管部分２４Ａとの接続部分で撥ね返ったり、排水に含まれるゴミが該接続部分に付着したりすることが抑制される。このため、接続管４０とエルボ２４の縦管部分２４Ａとの接続部分での排水及び排水ゴミの滞留を抑制することができる。
【００５０】
これによって、接続管４０に接続された貯留部３８を正常に機能させることができる。また、貯留部３８において、流入する排水と共に流入する排水ゴミの滞留を抑制できる。特にサイホン排水システムにおいては、サイホン力が発揮するまでは排水が比較的流れにくく、前記接続部分での排水ゴミ等の滞留が生じやすいため、本実施形態の貯留槽３２はサイホン排水システムに好適である。
【００５１】
また、本実施形態の貯留槽３２は、貯留部３８が下方に向けて徐々に縮径する漏斗状に形成されているので、貯留部３８に流入した排水に異物が混入している場合でも、該異物が貯留部３８の壁面に引っ掛かり難く、接続管４０に向けてスムーズに排水を排出することができる。
【００５２】
［第２の実施形態］
図７にしたがって、本発明の第２の実施形態に係る排水システム１０を説明する。なお、第１の実施形態と同一構成には同一符号を付し、その説明は省略する。
図７に示すように、本実施形態の排水システム１０では、貯留槽３２が、Ｓ字トラップ２６に接続されている。
【００５３】
本実施形態の貯留槽３２は、接続管４０の下端がＳ字トラップ２６の封水（図６参照。排水Ｗが溜まったもの。）が貯留されるＵ字状に屈曲した封水貯留部の一例としてのＵ字部分２６Ａ（図６参照）の下端側の側部に接続されている。
【００５４】
本実施形態の排水システム１０では、台所流し２０に、一度に多量の排水が流された場合、流された排水は、一部が、排水口部材２２、エルボ２４、Ｓ字トラップ２６、及びＬ字排水管２８を介してサイホン排水管３０側へ流れると共に、他の一部がＳ字トラップ２６、及び接続管４０を介して貯留槽３２の貯留部３８に流入するため、排水口部材２２からの排出効率を、貯留槽３２が無い場合に比較して増大させることができ、排水口部材２２から排水が溢れ出ることを抑制することが出来る。
【００５５】
本実施形態の貯留槽３２は、接続管４０の下端がＳ字トラップ２６のＵ字部分２６Ａの下端側の側部に接続されており、封水の一部が接続管４０内に浸入しているので、排水口部材２２から排出された排水が貯留槽３２に流入し易くなっている。さらに、貯留槽３２の上面が排水口部材２２の底面よりも下にあると、排水口部材２２に排水が溜まるより先に、貯留槽３２へ排水が流れていくことになるため、より好ましい。
【００５６】
さらに、本実施形態の排水システム１０では、排水口部材２２から貯留槽３２までの鉛直方向の距離を長く取ることができるので、排水口部材２２に溜まるはずの排水を貯留槽３２内に迅速に溜めることが可能となる。
【００５７】
［第３の実施形態］
図８にしたがって、本発明の第３の実施形態に係る排水システム１０を説明する。なお、第１の実施形態と同一構成には同一符号を付し、その説明は省略する。  
【００５８】
図８に示すように、本実施形態の貯留槽３２では、第１の実施形態の貯留槽３２で用いていた袋体４４の代わりに、一端部が閉鎖され周部が蛇腹状とされた圧力開放手段の一例としての蛇腹状袋体６０が用いられている。
【００５９】
蛇腹状袋体６０の基端部はフランジ状とされ、取付部４８の端面と取付部４８の取付用雄ネジ部４８Ｂに螺合させたナット６２とによって挟持され、取付部４８の端面に密着されるように構成されている。この蛇腹状袋体６０は、第１の実施形態の袋体４４と同様に、ゴム部材によって形成されているが、変形可能な弾性を有する部材であればよく、樹脂、又はゴム以外のエラストマー等を用いることができる。
【００６０】
本実施形態の貯留槽３２では、貯留部３８に排水が流入すると、蛇腹状袋体６０が上方に伸び、貯留部３８内の圧力上昇を緩和することが出来る。また、貯留部３８から排水が排出されると、蛇腹状袋体６０は元の状態に縮む。
【００６１】
［第４の実施形態］
図９にしたがって、本発明の第４の実施形態に係る排水システム１０を説明する。なお、前述した実施形態と同一構成には同一符号を付し、その説明は省略する。  
【００６２】
図９に示すように、本実施形態の貯留槽３２は、第３の実施形態で用いた蛇腹状の袋体６０の代わりに、下方が開口したカップ６４が取り付けられている。カップ６４の底部６４Ａには、上方に向けて突出する円筒状の通気部６４Ｂが一体的に設けられている。この通気部６４Ｂには、上方に向けて延びる通気配管６６が接続されている。なお、カップ６４、及び通気配管６６が本発明の圧力開放手段に相当する。
【００６３】
本実施形態の貯留槽３２では、貯留部３８に排水が流入すると、貯留部３８内の空気が通気部６４Ｂ、及び通気配管６６を介して貯留槽３２の外部に排出され、貯留部３８内の圧力上昇を緩和することが出来る。また、貯留部３８から排水が排出されると、外部の空気が通気配管６６、及び通気部６４Ｂを介して貯留部３８内に流入する。
【００６４】
なお、通気配管６６の上端部は、一度に多量の排水を排水口部材２２に流入させた場合に、通気配管６６の上端部から排水が排出されないように、その位置を決めることが必要である。例えば、通気配管６６の上端部は、排水口部材２２の上部開口部よりも上方に配置することが好ましい。
【００６５】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００６６】
上記実施形態では、貯留槽３２がエルボ２４、またはＳ字トラップ２６に一体的に設けられていたが、貯留槽３２は、エルボ２４、またはＳ字トラップ２６とは別体に形成されていてもよい。この場合、貯留槽３２の接続管４０の端部に、エルボ２４、またはＳ字トラップ２６と接続するための螺子部、袋ナット等を設けることが出来る。
【００６７】
上記実施形態では、排水口部材２２の排水方向下流側にＳ字トラップ２６を設けていたが、Ｓ字トラップ２６以外の他の種類のトラップが排水口部材２２の排水方向下流側に設けられていてもよい。
【００６８】
本実施形態における排水システム１０が、サイホン排水システムであるものとしたが、横引き管が勾配配管とされた従来の排水システムにも適用可能である。
【００６９】
また、一般家庭における台所流し２０を備えた排水システム１０においては、排水口部材２２の容積と貯留部３８の容積とを合計した容積を、２５００ｍｌ（ミリリットル）〜３０００ｍｌ程度確保することが好ましいが、他の排水システムにおいては、この限りではない。
【００７０】
また、水廻り器具は、台所流しの排水口部材に限らず、洗面台、風呂等の排水口部材であってもよい。
【符号の説明】
【００７１】
１０…排水システム（サイホン排水システム）、２０…台所流し（水廻り器具）、２４…エルボ（排水管）、２６…Ｓ字トラップ（トラップ、排水管）、２６Ａ…Ｕ字部分（封水貯留部）、３２…貯留槽、３８…貯留部、４０…接続管、４４…袋体（圧力開放手段）、６０…蛇腹状袋体（圧力開放手段）、６４…カップ（圧力開放手段）、６６…通気配管（圧力開放手段）
【図１】
2019199684.tif 000003
【図２】
2019199684.tif 000004
【図３】
2019199684.tif 000005
【図４】
2019199684.tif 000006
【図５】
2019199684.tif 000007
【図６】
2019199684.tif 000008
【図７】
2019199684.tif 000009
【図８】
2019199684.tif 000010
【図９】
2019199684.tif 000011